(57)【要約】【課題】高付加価値を持つ傘ハンドルを提供することを目的とする。【解決手段】傘ハンドル２は、持手部２１と、接続部２２とを備えている。持手部２１は、使用者が手で掴む部位である。接続部２２は、持手部２１の端部であり、シャフト３の端と接続する部位である。傘ハンドル２は、有機物の構造式からヒントを得て考案された「蜂の巣状編み目立体構造」を備えている。便宜上、「蜂の巣状編み目立体構造」を「蜂の巣状立体編目構造１１」とも称する。傘ハンドル２は、少なくとも持手部２１の表面が蜂の巣状立体編目構造１１とされたものである。持手部２１が持つ蜂の巣状立体編目構造１１は、輪郭が三角である三角編目２ａと、輪郭がひし形であるひし形編目２ｂと、輪郭が台形である台形編目２ｃとが混在した構造である。【選択図】図１
0003218793.tif 000002
【実用新案登録請求の範囲】
【請求項１】
少なくとも持手部の表面が蜂の巣状立体編目構造とされた傘ハンドル。
【請求項２】
前記蜂の巣状立体編目構造は、輪郭が三角である編目と輪郭がひし形である編目と輪郭が台形である編目とのうち二種以上の編目が混在した構造である請求項１に記載の傘ハンドル。
【請求項３】
前記持手部が、ＰＳ樹脂と、ＨＩＰＳ樹脂と、ＡＳ樹脂と、ＡＢＳ樹脂と、ＰＡ樹脂と、圧縮木材と、ダイオキシン吸着無害化用添加剤が添加されたエラストマーとからなる群から選択された一つの材料で形成された請求項１または２に記載の傘ハンドル。
【考案の詳細な説明】
【技術分野】
【０００１】
この考案は、傘ハンドルに関する。
【背景技術】
【０００２】
近年、雨傘の需要が増加している。一人が一本の傘を所有する時代から、一人で三本もの傘を所有することが普通となっている。傘の潜在需要は国内人口に比例しており、四億本から五億本と予測されている。
【考案の概要】
【考案が解決しようとする課題】
【０００３】
雨傘において価格および機能の面で大幅な改善が進められているものの、高級傘を除く普及品は未だ理想とする機能からは程遠いという実情がある。素材開発が進むにつれて一定の技術的進歩はあるものの、傘骨や生地以外の部分、つまり握りハンドルなどのパーツ部については、依然として多くの改善の余地が残されていた。
【０００４】
この考案は、上述のような課題を解決するためになされたもので、高付加価値を持つ傘ハンドルを提供することを目的とする。
【課題を解決するための手段】
【０００５】
この考案は、上記の目的を達成するため、傘ハンドルであって、少なくとも持手部の表面が蜂の巣状立体編目構造とされたものである。
【考案の効果】
【０００６】
この考案によれば、持手部を握る際に発揮される各種の機能的利点と持手部自体の構造的利点とによりもたらされる高付加価値を持つ傘ハンドルが提供される。
【図面の簡単な説明】
【０００７】
【図１】本考案の実施の形態に係る傘ハンドルの外観図である。
【考案を実施するための形態】
【０００８】
本考案の実施の形態にかかる傘ハンドル２は、いわば３Ｄ（三次元）ハンドルである。実施の形態によれば、最新マテリアルとテクノロジーの結合によって、手のなじみが良好であり安らぎおよび安全性が兼ね備えられた傘ハンドル２が提供される。傘ハンドル２によれば、ハイレベルな性能と極めて優れた動作性が提供され、伸び、ねじれ、圧力などにも影響されにくい。
【０００９】
図１は、本考案の実施の形態に係る傘ハンドル２の外観図である。図１には、傘ハンドル２と接続されるシャフト３および傘布４が破線で図示されており、これらが一体となることで傘１が構築される。なお、傘布４を支える骨などは図示を省略している。
【００１０】
傘ハンドル２は、持手部２１と、接続部２２とを備えている。持手部２１は、使用者が手で掴む部位である。接続部２２は、持手部２１の端部であり、シャフト３の端と接続する部位である。
【００１１】
傘ハンドル２は、有機物の構造式からヒントを得て考案された「蜂の巣状立体編目構造１１」を備えている。傘ハンドル２は、少なくとも持手部２１の表面が蜂の巣状立体編目構造１１とされたものである。
【００１２】
図１に示すように、持手部２１が持つ蜂の巣状立体編目構造１１は、輪郭が三角である三角編目２ａと、輪郭がひし形であるひし形編目２ｂと、輪郭が台形である台形編目２ｃとが混在した構造である。これらの編目が持手部２１の表面に凹凸を作り出すことによって、使用者が持手部２１を持ったときに、下記に述べる種々の利点が発揮される。
【００１３】
持手部２１が持つ蜂の巣状立体編目構造１１の利点を説明すると、まず、雨で濡れた手のひらでも滑らないように持手部２１を握った手のひらに良好にフィットすることができる利点がある。他にも、手のひらが持手部２１に触れたときに、その触感を良好にすることができ、傘１を長時間、連続に使用した場合でも使用者の疲労蓄積を抑制することができる利点もある。
【００１４】
他にも、傘ハンドル２を握った手のひらの静脈および神経が刺激されるので、脳の活性化を促進することができる。手のひらの感覚が脳細胞に働きかけられ心身の活性化を促すことができる。
【００１５】
また、石畳や硬い壁などと衝突したとしても、簡単に傘ハンドル２が割れないように傘ハンドル２の構造的強度を向上させる利点もある。しかも、蜂の巣状立体編目構造１１とすることで、軽量化が図れるという利点もある。
【００１６】
以上説明したように、実施の形態によれば、持手部２１を蜂の巣状立体編目構造１１で構築したことにより、持手部２１を握る際に発揮される各種の機能的利点と持手部２１自体の構造的利点とによりもたらされる高付加価値を持つ傘ハンドル２が提供される。また、蜂の巣状立体編目構造１１が設けられることで、傘ハンドル２の見た目が向上し、デザインの観点からも商品価値が向上する利点がある。
【００１７】
なお、「蜂の巣状」はハニカム構造とも呼ばれ、一般に正六角形を意味することもあるが、実施の形態ではこの意味に限定されることはない。実施の形態における「蜂の巣状立体編目構造１１」は正六角形以外の各種の多角形の編目を含むものである。「蜂の巣状立体編目構造１１」は、編目の輪郭が三角である「三角蜂の巣状立体編目構造」、編目の輪郭がひし形である「ひし形蜂の巣状立体編目構造」、編目の輪郭が台形である「台形蜂の巣状立体編目構造」、或いはこれら三種の蜂の巣状立体編目構造のうち二種以上の編目が混在した「混在蜂の巣状立体編目構造」のいずれであってもよい。なお、編目の輪郭が正六角形である「正六角蜂の巣状立体編目構造」であってもよい。
【００１８】
持手部２１を下記の材料で形成することで、下記に述べる各種の高付加価値も提供される。
【００１９】
傘ハンドル２の材料には、「圧縮木材」を用いてもよい。圧縮木材は、森林の間伐材と育成の早い竹材とを組み合わせたものであってもよい。これにより、地球規模の環境保護と二酸化炭素の排出量を限りなく減らすことができる。
【００２０】
傘ハンドル２の材料となる樹脂は、熱可塑性樹脂であってもよく、より好ましくは熱可塑性樹脂に特殊改質剤を添加したものであってもよい。加工した樹脂は無毒無臭で酸およびアルカリに対して安定であるという利点がある。
【００２１】
熱可塑性樹脂として、ＰＳ（ポリスチレン）、ＨＩＰＳ（耐衝撃性ポリスチレン）、ＡＳ（アクリロニトリルスチレン）、ＡＢＳ（アクリロニトリル・ブタジエン・スチレン）、ＰＡ（ポリアミド）などのセミハード樹脂を用いてもよい。これにより、蜂の巣状立体編目構造１１を、柔軟な特殊セミハード樹脂でデザインすることができる。ポリマーは振動および衝撃のエネルギーを熱に変化させることができるという利点もある。
【００２２】
添加すべき特殊改質剤は、廃棄焼却時にダイオキシンを吸着無害化するための添加剤である。この特殊改質剤は、プラスチック製造過程で一定量加えるとプラスチック製品使用後の焼却処理の際に化学・物理作用によって塩素イオンを除去する作用を生じる。
【００２３】
傘ハンドル２を構成する樹脂材料はエラストマーであってもよい。エラストマーマテリアルに、特殊改質剤を加えたものであってもよい。
【００２４】
この改質剤を用いることで、傘ハンドル２の廃棄焼却時においてダイオキシンの発生源である塩化水素が除去され、ダイオキシンの発生量を減らし、ゴミ焼却炉から排出される空気を浄化することができる。従って、廃棄焼却時に塩素ガス、塩化化合物、および二酸化化合物などの有害ガスの発生を抑制することができ、地球温暖化への対策となる。
【００２５】
傘ハンドル２の材料は、上記列挙した材料に限られず、金属などであってもよい。
【００２６】
傘ハンドル２の全体が、蜂の巣状立体編目構造１１材料で作成されていてもよい。製造法は限定されないが、例えば全体が蜂の巣状立体編目構造１１を持つ材料を作成してから、これを傘ハンドル２の形状に金型成形したり、あるいは削り加工で成形したりするなどしてもよい。
【００２７】
また、変形例として、持手部２１の芯材が別の材料で形成されることで、蜂の巣状立体編目構造１１が傘ハンドル２の持手部２１の表面のみに設けられてもよい。この場合、例えば型押しなどの表面処理加工を施すことで、持手部２１の表面のみに蜂の巣状立体編目構造１１の凹凸をつけてもよい。あるいは、蜂の巣状立体編目構造１１を持つシート材料などで芯材の周りを覆うことで、表面に蜂の巣状立体編目構造１１を持つ持手部２１が形成されてもよい。
【００２８】
傘ハンドル２の全体形状は、図１に示すようなＪ字型に限られず、Ｌ字型またはＩ字型であってもよい。
【符号の説明】
【００２９】
１  傘
２  傘ハンドル
２ａ  三角編目
２ｂ  ひし形編目
２ｃ  台形編目
３  シャフト
４  傘布
１１  蜂の巣状立体編目構造
２１  持手部
２２  接続部
【図１】
0003218793.tif 000003